(57)【要約】      （修正有）【課題】揮発性液体用容器に嵌着され、未使用時には容器内の液体の揮散を防ぐと共に、使用時には簡易な操作で容器内の液体を外部に揮散させることが可能で、しかも、揮散させる量を容易に調節することのできるキャップを提供する。【解決手段】キャップ２は、容器１の吐出口６を開閉可能に密封する筒状密封部２１ｇと筒状密封部２１ｇの周囲に設けられた、吐出口６からの泡状体を貯溜させる溜まり部２０とを少なくとも有する、上面が開放されたキャップ本体２１と、通気孔２４を有し、キャップ本体２１を閉塞する蓋体２２とから構成されている。これにより、未使用時には、筒状密封部２１ｇにより吐出口６が密封されて容器１内の液体の揮散を防ぎ、使用時には、吐出口６を開放すると共に容器１を押圧して、容器１内の液体を吐出口６から泡状体として溜まり部１０内に貯溜させれば、泡状体は蓋体２２の通気孔２４から外部に揮散される。【選択図】図１
2007112491.tif 000002
【特許請求の範囲】
【請求項１】
揮発性のある液体が収容された容器に嵌着されると共に、前記容器の底部と、前記容器に内装される吐出パイプを介して連通されるキャップであって、
該キャップは、前記吐出パイプの吐出口を開閉可能に密封する密封部と、該密封部の周囲に設けられた、前記容器の胴部を押圧することで前記吐出口から吐出される液体又は泡状体を貯溜させる溜まり部と、前記密封部及び前記溜まり部を覆うように配置された、通気孔を有する壁部とを有することを特徴とするキャップ。
【請求項２】
前記溜まり部内に、液体又は泡状体を含浸させる多孔質体を配置することを特徴とする請求項１に記載のキャップ。
【発明の詳細な説明】
【技術分野】
【０００１】
本発明は、芳香剤、殺虫剤、動物忌避剤等の揮発性のある液体が収容された容器に嵌着されるキャップであって、特に、未使用時には容器内の液体の揮散を防ぎ、使用時には簡単な操作で容器内の液体を外部に揮散させるキャップに関するものである。
【背景技術】
【０００２】
従来から、芳香剤等の揮発性のある液体が収容された容器は種々存在するが、例えば、特許文献１に開示された容器の発明は、液状の芳香剤を収容した容器と、この容器の開口を密封し、使用時には取り外されるハット状の中栓蓋と、この中栓蓋が取り外された状態で、芳香剤の芳香成分を外部に揮散させるための通気孔を有するキャップとを備えている。このキャップは、容器の瓶口部の雄ネジ部に螺合する雌ネジ部を有するリング部と、側面に設けられた通気孔の内側でその開口を閉じたり大きさを調節するための通気孔の形状に合わせてリング部より突出形成されたシャッタ部とからなる可動部材が下端周縁に一体化された二重蓋となっており、また、キャップの天面には、上述した通気孔の他に複数の通気孔が放射状に設けられ、常時開放されている。さらに、容器内には、芳香剤を吸い上げる不織布等からなる吸液体である芯材が配されており、この芯材の下半部が芳香剤中に浸漬され、使用時に中栓蓋を取り外した状態で、芯材上端の揮散面より芳香成分をキャップの通気孔を介して外部に揮散させている。
【特許文献１】特開２００３−１２０６８号公報
【発明の開示】
【発明が解決しようとする課題】
【０００３】
しかしながら、特許文献１の発明では、容器の開口を密封し、使用時には取り外される中栓蓋が別体として構成されており、使用中に、容器内の芳香剤の揮散を止めたい時には、キャップを取り外し、中栓蓋を容器の開口に取り付けて、再度キャップを取り付ける必要があり、取り扱いが非常に面倒である。
【０００４】
本発明は、かかる点に鑑みてなされたものであり、揮発性のある液体が収容された容器に嵌着され、未使用時には容器内の液体の揮散を防ぐと共に、使用時には簡易な操作で容器内の液体を外部に揮散させることが可能で、しかも、揮散させる量を容易に調節することのできるキャップを提供することを目的とする。
【課題を解決するための手段】
【０００５】
本発明は、上記課題を解決するための手段として、請求項１に記載した発明は、揮発性のある液体が収容された容器に嵌着されると共に、前記容器の底部と、前記容器に内装される吐出パイプを介して連通されるキャップであって、該キャップは、前記吐出パイプの吐出口を開閉可能に密封する密封部と、該密封部の周囲に設けられた、前記容器の胴部を押圧することで前記吐出口から吐出される液体又は泡状体を貯溜させる溜まり部と、前記密封部及び前記溜まり部を覆うように配置された、通気孔を有する壁部とを有することを特徴とするものである。
このように構成することにより、未使用時には、密封部により、容器に内装され、容器の底部と連通される吐出パイプの吐出口が密封されて、容器内の液体と外気とが遮断される。
一方、使用時には、密封部を作動させて、容器内の吐出パイプの吐出口を開放すると共に、容器の胴部を押圧することで容器内の液体を吐出パイプの吐出口を経由して、液体のまま、又は泡状体として溜まり部内に貯溜させておく。すると、溜まり部内の液体又は泡状体は壁部に設けた通気孔から外部に揮散される。
【０００６】
請求項２に記載した発明は、請求項１に記載した発明において、前記溜まり部内に、液体又は泡状体を含浸させる多孔質体を配置することを特徴とするものである。
このように構成することにより、容器が傾斜したり、転倒した場合でも、溜まり部内の液体又は泡状体が壁部の通気孔から急激に流出することはない。
【発明の効果】
【０００７】
本発明の請求項１に記載した発明によれば、揮発性のある液体が収容された容器に嵌着されると共に、容器の底部と、容器に内装される吐出パイプを介して連通されるキャップには、該吐出パイプの吐出口を開閉可能に密閉する密封部が設けられているので、未使用時には、密封部により吐出パイプの吐出口を密封でき、容器内の液体と外気とを遮断して、容器内の液体の揮散を防ぐことができる。
一方、使用時には、密封部を作動させて吐出パイプの吐出口を開放した後、容器の胴部を押圧することで容器内の液体を所望量液体のまま、又は泡状体として吐出パイプの吐出口から溜まり部内に吐出させれば、溜まり部内の液体又は泡状体が、壁部の通気孔から外部に揮散されるようになる。
このように、容器の底部と連通される吐出パイプの吐出口の開閉操作が容易であり、しかも、使用時には、使用したい量だけを溜まり部内に貯溜させればよいので、使用量の調節が可能となる。
【０００８】
請求項２に記載した発明によれば、溜まり部内に吐出された液体又は泡状体は、多孔質体に含浸されているので、使用時に、例えば、容器が傾斜したり、転倒した場合、液体又は泡状体が通気孔から急激に流出するのを防止することができる。
【発明を実施するための最良の形態】
【０００９】
以下、本発明を実施するための最良の形態を図１〜図７に基いて詳細に説明する。
まず、本発明の実施の形態に係るキャップが嵌着される容器について説明する。
容器１は、図１に示すように、内部に揮発性のある液体が収容された有底楕円筒状の容器本体３の口部である雄螺子筒部５にベースキャップ４が螺着されてなる。
【００１０】
ベースキャップ４は、図４（ｂ）に示すように、略円筒状であってその下部に容器口と係合する雌螺子を内壁に有する下筒部４ａと、下筒部４ａの内側に適宜間隔を置いて設けたシール筒部４ｂと、シール筒部４ｂの内側に設けた吐出通路７を有する吐出筒部４ｃとを備え、また、ベースキャップ４の上部には、外側から順に間隔を置いて、同心円状に延びる、外側係合筒部４ｄと、その内側の中間筒部４ｅと、更にその内側の内側係合筒部４ｆとを備えている。この内側係合筒部４ｆは、吐出筒部４ｃの上部から連続している。
さらに、ベースキャップ４には、内側係合筒部４ｆと吐出筒部４ｃとの接続部付近の内周面から、上方に延び、天井面を有する吐出筒部４ｇが突設されており、吐出筒部４ｇの側面に吐出口６を有している。また、外側係合筒部４ｄと中間筒部４ｅとの間、及び中間筒部４ｅと内側係合筒部４ｆとの間は、それぞれ環状壁で塞がれている。なお、符号４ｈで示すものは空気流入孔である。
さらにまた、外側係合筒部４ｄの内周面には、係合突条部４ｄ’、４ｄ’が上下に間隔を置いて２条形成されており、内側係合筒部４ｆの上部外周面にも、係合突条部４ｆ’が１条形成されている。
【００１１】
また、図１に示すように、ベースキャップ４の吐出通路７を有する吐出筒部４ｃの下方には、この吐出筒部４ｃの下端部を覆うように配される大径筒部８と、大径筒部８から連続して下方に延びる小径筒部９とを有し、内部に、メッシュ保持体１２を介して気液混合室１０ａを有する混合筒部１０が配されている。また、この混合筒部１０の側面には空気流入孔８ａが形成されている。さらに、ベースキャップ４の吐出通路７を有する吐出筒部４ｃの上下方向略中間の外周面には、逆止弁１１が圧入密着状態で嵌合されて、その弁体１１ａがベースキャップ４におけるシール筒部４ｂよりも内方に位置する弁座に接離されている。
さらに、図１に示すように、混合筒部１０内で、吐出筒部４ｃの下端には、上端にメッシュ１３が溶着されたメッシュ保持体１２が配されている。また、チューブ１５が混合筒部１０の小径筒部９内から容器本体３内の底部まで延びており、容器本体３内に収容された液体に浸漬されている。
そして、図１に示すように、ベースキャップ４の下筒部４ａが、容器本体３の雄螺子筒部５に螺着されると、ベースキャップ４のシール筒部４ｂが、容器本体３の雄螺子筒部５の内周面に密着して容器本体３の開口がシールされる。
本発明において、容器１に内装され、容器本体３内の底部と連通される吐出パイプは、チューブ１５、混合筒部１０、吐出筒部４ｃ及び吐出筒部４ｇから構成されると共に、吐出パイプの吐出口は、吐出筒部４ｇの側面に設けた吐出口６に相当する。また、この吐出パイプが、後で詳述する本発明の実施の形態に係るキャップ２に連通するようになる。
【００１２】
次に、容器１のベースキャップ４に被冠される、本発明の実施の形態に係るキャップ２について、図４（ａ）に基き、図１〜図３も参照しながら説明する。
本発明の実施の形態に係るキャップ２は、図１及び図４（ａ）に示すように、ベースキャップ４全体を上方から被うような略円筒状を呈している。このキャップ２は、ベースキャップ４の内側係合筒部４ｆと吐出筒部４ｇとの間に嵌挿され、吐出筒部４ｇの吐出口６を密封する筒状密閉部（密閉部）２１ｇと、この筒状密閉部２１ｇの周囲に設けられ、吐出口６から吐出される液体又は泡状体（本実施の形態では泡状体）を貯溜させる溜まり部２０とを少なくとも有する、上面が開放されたキャップ本体２１を有し、該キャップ本体２１には、溜まり部２０内の泡状体を外部に揮散させる複数の通気孔２４を有する蓋体（壁部）２２が、その上面開放を閉塞するように取り付けてある。
【００１３】
キャップ本体２１は、図４（ａ）に示すように、上面が開放されており、外側から順に間隔を置いて、同心円状に延びる、最外側筒部２１ａと、外側筒部２１ｂと、外側係合筒部２１ｃと、空気シール筒部２１ｄと、内側係合筒部２１ｅと、前述した筒状密閉部２１ｇとを備えている。また、外側筒部２１ｂと、外側係合筒部２１ｃと、空気シール筒部２１ｄと、内側係合筒部２１ｅとは、それぞれの上端が上壁２１ｈで接続されている。
また、キャップ本体２１の略中央に位置する筒状密閉部２１ｇの上部に、上壁２１ｈから上方に延び、天井面を有し、且つ、側面に吐出口２１ｆ’を開口した吐出筒部２１ｆを備えている。
そこで、最外側筒部２１ａ及び外側筒部２１ｂそれぞれの下端は、底壁２１ｉにて接続されており、この部位が、環状に延びる溜まり部２０として構成される。また、最外側筒部２１ａの上部外周面には、係止段部２１ａ’が周設されている。
【００１４】
蓋体２２は、略円板状で、図４（ａ）に示す側面視において、円弧状に湾曲している。また、この蓋体２２は、図２に示す上面視において、中心に向って互いに対向するように配列される複数の円弧片２３を備えている。この円弧片２３は、図４（ａ）に示す側面視において、断面クランク状に形成されており、これら隣接する円弧片２３、２３間に通気孔２４を設けている。なお、隣り合う円弧片２３、２３は、一方の蓋体半径方向外端と他方の蓋体半径方向内端とが半径方向でほぼ同一位置に配置されているため、蓋体２２は、上方から埃等の異物が侵入しにくくなっている。
さらに、図４（ａ）に示すように、蓋体２２は、外側から間隔を置いて、下方で且つ環状に延びる、係合筒部２２ａと、保持筒部２２ｂとを備えている。係合筒部２２ａの下端内周面には係合突条部２２ａ’が１条形成されている。
【００１５】
そして、蓋体２２を、図４（ａ）に示すように、キャップ本体２１の上面開放を覆うように配置して、蓋体２２の係合筒部２２ａと保持筒部２２ｂとの間に、キャップ本体２１の最外側筒部２１ａを挿入すると共に、蓋体２２の係合筒部２２ａに設けた係合突条部２２ａ’を、キャップ本体２１の最外側筒部２１ａの上部外周面に設けた係止段部２１ａ’に係止させて、蓋体２２をキャップ本体２１に一体的に装着する。
【００１６】
次に、蓋体２２がキャップ本体２１に装着されてなるキャップ２は、図１及び図３に示すように、容器本体３に螺着されているベースキャップ４に上下方向にスライド自在に嵌挿される。
すなわち、キャップ本体２１の外側筒部２１ｂがベースキャップ４の外側係合筒部４ｄの外周面を、キャップ本体２１の外側係合筒部２１ｃがベースキャップ４の外側係合筒部４ｄと中間筒部４ｅとの間を、キャップ本体２１の空気シール筒部２１ｄがベースキャップ４の中間筒部４ｅの内周面を、キャップ本体２１の内側係合筒部２１ｅがベースキャップ４の内側係合筒部４ｆの外周面を、それぞれ上下にスライド自在に嵌挿される。さらに、キャップ本体２１の筒状密封部２１ｇが、ベースキャップ４の内側係合筒部４ｆの内周面を上下方向にスライド自在に嵌挿される。
【００１７】
そこで、図１の状態、すなわち、キャップ本体２１の外側筒部２１ｂの下部に設けられた段部２１ｂ’が、ベースキャップ４の下筒部４ａ上の係止段部４ａ’に係止された状態において、キャップ本体２１の筒状密封部２１ｇが、ベースキャップ４の吐出筒部４ｇと内側係合筒部４ｆとの間に緊密に挿入されることで、ベースキャップ４の吐出筒部４ｇに設けた吐出口６が密封される。この状態が閉位置となる。
【００１８】
一方、図１の状態から、図３の状態、すなわち、キャップ２を、キャップ本体２１の外側係合筒部２１ｃに設けた係合突条２１ｃ’が、ベースキャップ４の外側係合筒部４ｄに設けた上下の係合突条部４ｄ’４ｄ’間に係合されると共に、キャップ本体２１の内側係合筒部２１ｅに設けた係合突条部２１ｅ’が、ベースキャップ４の内側係合筒部４ｆに設けた係合突条部４ｆ’に係合されるまで上方にスライドさせる。この状態になると、キャップ本体２１の筒状密封部２１ｇが、ベースキャップ４の吐出筒部４ｇと内側係合筒部４ｆとの間から抜脱されると共に、ベースキャップ４の吐出筒部４ｇの吐出口６が開放され、該吐出口６が、キャップ本体２１の吐出筒部２１ｆの吐出口２１ｆ’と連通する状態となる。この状態が開位置となる。
【００１９】
そして、容器１内の液体を揮散させる際には、キャップ２を開位置（図３の状態）まで上方にスライドさせて、容器１の吐出口６を開放した後、容器本体３の胴部を押圧すると、容器本体３内の液体がチューブ１５内を上昇して、気液混合室１０ａに送り込まれると共に、容器本体３内の空気が混合筒部１０の空気流入孔８ａを通って、気液混合室１０ａに送り込まれ、液体に空気が混ざり発泡する。この発泡した気液混合物は、メッシュ１３で均質な泡にされて、この泡状体がベースキャップ４の吐出筒部４ｃ内の吐出通路７を上昇し、吐出筒部４ｇの吐出口６を通って、キャップ本体２１の吐出筒部２１ｆに設けた吐出口２１ｆ’から横方向に吐出される。この吐出された泡状体は、キャップ本体２１の上壁２１ｈの上面から外側筒部２１ｂの外周面に沿って流下し、溜まり部２０内に貯溜される。そして、溜まり部２０内に溜まった泡状体は、蓋体２２に設けた複数の通気孔２４から外部に揮散される。
【００２０】
また、所望量の泡状体をキャップ本体２１の溜まり部２０内に貯溜させた後は、キャップ２を閉位置（図１の状態）まで下方にスライドさせておけば、キャップ本体２１の筒状密封部２１ｇが、ベースキャップ４の吐出筒部４ｇと内側係合筒部４ｆとの間に緊密に挿入されて、容器１の吐出口６が密封される。
このように、所望量の泡状体を溜まり部２０内に貯溜させた後は、キャップ２を閉位置まで下方にスライドさせて、容器１の吐出口６を密封することにより、容器１内の液体が必要以上に外部に揮散されるのを防ぐ。
【００２１】
なお、図１及び図４（ａ）に示すように、上述したキャップ本体２１の溜まり部２０内に、液体又は泡状体を含浸させる多孔質体のスポンジ２５等を配置してもよい。このように構成することにより、特に、溜まり部２０内に液体を貯溜させる場合、溜まり部２０内の液体をスポンジ２５に含浸させておけば、容器１が傾いたり、転倒したりした場合でも、液体が蓋体２２の通気孔２４から急激に流出することはない。
【００２２】
以上説明したように、本発明の実施の形態に係るキャップ２によれば、未使用時には、キャップ２を閉位置まで下方にスライドさせておけば、キャップ２に設けた筒状密封部２１ｇにより、容器１に内装され、容器本体３の底部と連通する、チューブ１５、混合筒部１０、吐出筒部４ｃ及び吐出筒部４ｇからなる吐出パイプの吐出口６が密封されて、容器１内の液体の揮散を防ぐことができる。
一方、使用時には、キャップ２を開位置まで上方にスライドさせて、容器１内の吐出パイプの吐出口６を開放させた後、容器１の胴部を押圧すれば、容器１内の液体及び空気が共に気液混合室１０ａに送り込まれて混合され、この気液混合物がメッシュ１３を通過して均質に泡状化される。その後、この泡状体は、容器１内の吐出パイプの吐出口６から吐出されて、キャップ本体２１の上壁２１ｈ及び外側筒部２１ｂに沿って流下し、溜まり部２０内に貯溜される。そして、溜まり部２０内に溜まった泡状体は、蓋体２２に設けた複数の通気孔２４から外部に揮散される。
このように、キャップ２を上下にスライドさせるだけで、容器１内の吐出パイプの吐出口６を開閉でき、吐出口６の開閉操作が容易となる。また、このようなスライド式の筒状密封部２１ｇにより、輸送時の予期せぬ衝撃に対しても、十分な密封性を保持できる。
さらに、容器本体３の胴部を押圧して、所望量の液体を泡状体として溜まり部２０内に貯溜させた後は、キャップ２を閉位置までスライドさせれば、容器１内の液体は揮散されず、溜まり部２０内の泡状体だけが揮散されるので、外部に揮散させる量を使用者が容易に調節することができる。
また、キャップ本体２１の吐出筒部２１ｆは、天井面を有し、且つ、側面に吐出口２１ｆ’が、開口されていることにより、液体又は泡状体は、吐出口２１ｆ’から横方向に吐出されるため、吐出された液体又は泡状体が蓋体２２の通気孔２４を通って外部へ直接出ることを抑制することができる。
【００２３】
なお、蓋体２２の他の実施の形態として、図５〜図７に示すように、蓋体２２の壁部を、略水平で幅狭の板部２６を階段状に複数配列して構成し、階段状に隣接する板部２６、２６間に通気孔２４を設けることも可能である。
【図面の簡単な説明】
【００２４】
【図１】図１は、本発明の実施の形態に係るキャップが容器に嵌着された状態を示す断面図である。
【図２】図２は、図１の上面図である。
【図３】図３は、図１の要部を拡大したもので、キャップを開位置までスライドさせた状態を示した断面図である。
【図４】図４（ａ）は、本発明の実施の形態に係るキャップの断面図であり、（ｂ）は（ａ）に示すキャップが嵌着されるベースキャップの断面図である。
【図５】図５は、蓋体の別の実施の形態を示す上面図である。
【図６】図６は、図５の断面図である。
【図７】図７は、図６のＡ部の拡大図である。
【符号の説明】
【００２５】
１          容器
２          キャップ
４ｃ        吐出筒部
４ｇ        吐出筒部
６          吐出口
１０        混合筒部
１５        チューブ
２０        溜まり部
２１        キャップ本体
２１ｇ      筒状密封部（密封部）
２２        蓋体（壁部）
２４        通気孔
２５        スポンジ（多孔質体）
【図１】
2007112491.tif 000003
【図２】
2007112491.tif 000004
【図３】
2007112491.tif 000005
【図４】
2007112491.tif 000006
【図５】
2007112491.tif 000007
【図６】
2007112491.tif 000008
【図７】
2007112491.tif 000009